(57)【要約】【課題】店舗で顧客が試用商品を試用し、興味をもった商品情報を自動的に取得可能であり、また店舗にて商品の購入予約をしたとき、顧客は待つことなく精算処理を行うことができる商品情報管理システム、商品情報管理方法、試用商品管理装置、プログラムを提供する。【解決手段】試用商品１０２にＲＦＩＤ２０３を有する商品用タグ２００を取り付け、ＲＦＩＤ２０３に商品情報を記憶し、ＲＦＩＤリーダ１０４により商品情報を読み取ることで、商品の試用時に顧客への商品情報の提供を入出力装置１０６に表示して行うと共に、商品を購入する際、顧客は、入出力装置１０６を操作して購入商品情報を入力し、店舗管理装置１０７を介して購入商品情報を精算処理装置１１０へ送信して購入予約を行う。【選択図】      図１
2006039842.tif 000002
【特許請求の範囲】
【請求項１】
店舗内に設け試用商品を管理する試用商品管理装置と、商品情報と顧客情報とを管理する店舗管理装置と、顧客の購入商品の精算を行う精算処理装置と、前記店舗管理装置からの送信情報を受信し収集・分析する管理サーバとを有する商品情報管理システムであって、前記試用商品は、前記商品情報を記憶する第１記憶手段を有する商品用タグを有し、前記試用商品管理装置は、顧客情報を記憶する第２記憶手段を有する顧客用タグと前記商品用タグとを読み出す読出手段と、顧客が操作し前記店舗管理装置との間で情報を送受信する入出力装置とを有することを特徴とする商品情報管理システム。
【請求項２】
前記第１記憶手段および前記第２記憶手段は、共にＲＦＩＤを有することを特徴とする請求項１記載の商品情報管理システム。
【請求項３】
前記第１記憶手段は、商品を特定する商品識別情報と、他商品との組み合わせ情報とを記憶することを特徴とする請求項１または２記載の商品情報管理システム。
【請求項４】
前記店舗管理装置は、磁気ディスク装置を有し、前記磁気ディスク装置は、前記設置位置情報を格納する設置位置情報データベースと、前記商品情報を格納する商品情報データベースと、前記顧客情報を格納する顧客情報データベースとを有することを特徴とする請求項１記載の商品情報管理システム。
【請求項５】
前記店舗管理装置は、前記読出手段で読み出した前記顧客情報と前記商品情報とを受信する手段と、受信した前記顧客情報を元に顧客へのメッセージ情報を前記入出力装置へ送信する手段と、受信した前記商品情報を元に商品の詳細情報を前記入出力装置へ送信する手段と、前記精算処理装置から各商品の販売情報を受信する手段と、前記顧客情報と前記商品情報と前記販売情報とを前記管理サーバへ送信する手段とを有することを特徴とする請求項１記載の商品情報管理システム。
【請求項６】
前記入出力装置は、メッセージ情報を表示する手段と、前記メッセージ情報のメニューから照会情報を選択する手段と、選択した前記照会情報を前記店舗管理装置へ送信する手段と、前記照会情報に対する前記店舗管理装置からの応答情報を表示する手段と、商品の購入予約情報を入力し前記店舗管理装置へ送信する手段とを有することを特徴とする請求項１または５記載の商品情報管理システム。
【請求項７】
前記精算処理装置は、前記顧客用タグの記憶情報を読み出す精算用情報読出部を有することを特徴とする請求項１記載の商品情報管理システム。
【請求項８】
前記精算処理装置は、前記店舗管理装置から商品の購入予約情報と共に受信した前記顧客情報と前記精算用情報読出部で読み出した前記顧客用タグの情報とを照合する手段を有することを特徴とする請求項７記載の商品情報管理システム。
【請求項９】
前記精算処理装置は、販売した商品と販売数量とを特定する販売商品情報と商品を購入した顧客を特定する購入顧客情報とを集計処理する手段と、集計処理した情報を前記店舗管理装置へ送信する手段とを有することを特徴とする請求項１または５記載の商品情報管理システム。
【請求項１０】
前記管理サーバは、商品の照会情報と照会した顧客の情報と、商品の販売情報と商品を購入した顧客の情報とを元に、照会情報量と販売量との相関関係の分析を行う手段と、商品の人気ランキングを作成する手段と、複数商品の組み合わせでの前記販売情報を元に、組み合わせ商品と販売量との分析を行う手段と、分析結果から販売戦略を決定する手段とを有することを特徴とする請求項１または５記載の商品情報管理システム。
【請求項１１】
前記試用商品管理装置は、顧客が前記試用商品を試用する商品試用台を有し、前記読出手段と前記入出力装置とは、前記商品試用台に設置し、前記顧客用タグと前記試用商品とは、前記商品試用台上に配置することを特徴とする請求項１記載の商品情報管理システム。
【請求項１２】
前記試用商品管理装置は、商品陳列棚に設置することを特徴とする請求項１記載の商品情報管理システム。
【請求項１３】
前記試用商品管理装置と前記店舗管理装置と前記精算処理装置と前記管理サーバとは、通信ネットワークで接続することを特徴とする請求項１記載の商品情報管理システム。
【請求項１４】
店舗内に設け試用商品を管理する試用商品管理装置と、商品情報と顧客情報とを管理する店舗管理装置と、顧客の購入商品の精算を行う精算処理装置と、前記店舗管理装置からの送信情報を受信し収集・分析する管理サーバとを通信ネットワークで接続し、前記試用商品の第１記憶手段を有する商品用タグに前記商品情報を記憶し、顧客情報を記憶する第２記憶手段を有する顧客用タグと前記商品用タグとを前記試用商品管理装置の読出手段により読み出す商品情報管理方法であって、前記試用商品管理装置は、入出力装置により顧客が操作し前記店舗管理装置との間で情報を送受信するステップを有し、前記店舗管理装置は、前記読出手段で読み出した前記顧客情報と前記商品情報とを受信するステップと、受信した前記顧客情報を元に顧客へのメッセージ情報を前記入出力装置へ送信するステップと、受信した前記商品情報を元に商品の詳細情報を前記入出力装置へ送信するステップと、前記精算処理装置から各商品の販売情報を受信するステップと、前記顧客情報と前記商品情報と前記読出手段の前記設置位置情報と前記販売情報とを前記管理サーバへ送信するステップとを有することを特徴とする商品情報管理方法。
【請求項１５】
前記第１記憶手段および前記第２記憶手段は、共にＲＦＩＤを有することを特徴とする請求項１４記載の商品情報管理システム。
【請求項１６】
前記第１記憶手段は、商品を特定する商品識別情報と、他商品との組み合わせ情報とを記憶することを特徴とする請求項１４または１５記載の商品情報管理方法。
【請求項１７】
前記入出力装置は、前記メッセージ情報を表示するステップと、前記メッセージ情報のメニューから照会情報を選択するステップと、選択した前記照会情報を前記店舗管理装置へ送信するステップと、前記照会情報に対する前記店舗管理装置からの詳細情報を表示するステップと、商品の購入予約情報を入力し前記店舗管理装置へ送信するステップとを有することを特徴とする請求項１４記載の商品情報管理方法。
【請求項１８】
前記精算処理装置は、前記店舗管理装置から商品の購入予約情報と共に受信した前記顧客情報と精算用情報読出部で読み出した前記顧客用タグの情報とを照合するステップと、販売した商品と販売数量とを特定する販売商品情報と商品を購入した顧客を特定する購入顧客情報とを集計処理するステップと、集計処理した情報を前記店舗管理装置へ送信するステップとを有することを特徴とする請求項１４記載の商品情報管理方法。
【請求項１９】
前記管理サーバは、商品の照会情報と照会した顧客の情報と、商品の販売情報と商品を購入した顧客の情報とを元に、照会情報量と販売量との相関関係の分析を行うステップと、商品の人気ランキングを作成するステップと、複数商品の組み合わせでの前記販売情報を元に、組み合わせ商品と販売量との分析を行うステップと、分析結果から販売戦略を決定するステップとを有することを特徴とする請求項１４記載の商品情報管理方法。
【請求項２０】
店舗管理装置と、顧客の購入商品の精算を行う精算処理装置と、前記店舗管理装置からの送信情報を受信し収集・分析する管理サーバとに通信ネットワークを介して接続し、店舗内に設け試用商品を管理する試用商品管理装置であって、前記試用商品は、前記商品情報を記憶する第１記憶手段を有する商品用タグを有し、顧客情報を記憶する第２記憶手段を有する顧客用タグと前記商品用タグとを読み出す読出手段と、顧客が操作し前記店舗管理装置との間で情報を送受信する入出力装置とを有することを特徴とする試用商品管理装置。
【請求項２１】
前記読出手段と前記入出力装置とは、商品試用台に設置し、前記顧客用タグと前記試用商品とは、前記商品試用台上に配置することを特徴とする請求項２０記載の試用商品管理装置。
【請求項２２】
前記読出手段と前記入出力装置とは、商品陳列棚に設置することを特徴とする請求項２０記載の試用商品管理装置。
【請求項２３】
店舗内に設け試用商品を管理する試用商品管理装置と、商品情報と顧客情報とを管理する店舗管理装置と、顧客の購入商品の精算を行う精算処理装置と、前記店舗管理装置からの送信情報を受信し収集・分析する管理サーバとを通信ネットワークで接続し、前記試用商品の第１記憶手段を有する商品用タグに前記商品情報を記憶し、顧客情報を記憶する第２記憶手段を有する顧客用タグと前記商品用タグとを前記試用商品管理装置の読出手段により読み出す商品情報管理方法のプログラムであって、コンピュータを、前記試用商品管理装置の入出力装置により顧客が操作し前記店舗管理装置との間で情報を送受信する手段、前記読出手段で読み出した前記顧客情報と前記商品情報とを前記店舗管理装置で受信する手段、受信した前記顧客情報を元に顧客へのメッセージ情報を前記入出力装置へ送信する手段、受信した前記商品情報を元に商品の詳細情報を前記入出力装置へ送信する手段、前記精算処理装置から各商品の販売情報を受信する手段、前記顧客情報と前記商品情報と前記読出手段の前記設置位置情報と前記販売情報とを前記管理サーバへ送信する手段として機能させるためのプログラム。
【発明の詳細な説明】
【技術分野】
【０００１】
本発明は、商品情報管理システム、商品情報管理方法、試用商品管理装置、プログラムに関し、特に店舗で顧客が試用し、顧客が興味をもった商品情報を自動的に取得可能であり、また店舗にてその商品の購入予約をした場合、自動的に購入予約情報を精算システムへ送信し、顧客は待たされることなく精算を行うことができる商品情報管理システム、商品情報管理方法、試用商品管理装置、プログラムに関する。
【背景技術】
【０００２】
従来、店舗における商品情報の管理に関しては、一般的にバーコードを用いて販売の効率化を図っている。バーコードを使用した商品の情報を参照する場合、商品に貼り付けたバーコードの情報ひとつひとつを手作業でリーダーを近づけて読み取る必要がある。
【０００３】
商品（例えば化粧品など）に興味をもち、商品を試用したい顧客に対して、例えば百貨店や専門店では、顧客が店舗の販売員に試用したい旨を口頭で伝えると、販売員は、顧客を席に案内し、顧客に対して商品を試用させてくれるが、販売員が他客へ対応している場合、顧客は、案内待ちの状態となり試用および購入の対応をしてもらうまで待つことになる。
【０００４】
一方、ドラッグストアなどでは、試用商品を棚に陳列し、顧客に対して商品を勝手に試用することを許可している。顧客が試用する商品の詳細な情報を知りたい場合は、販売員をつかまえなければ情報を得られない。購入前に商品を試用して、実際に購入するような商品の場合、顧客は販売員に対応してもらわないと商品を購入できない場合が多い。ところが、商品の詳細な情報収集や商品の推奨組み合わせ情報は、対応した販売員の商品の知識量に依存するため、顧客は、必要な情報を収集できない場合がある。例えば、対応した販売員の知識量が少ければ、販売員は、必要な情報を顧客に提供できない。また、アレルギー情報など専門的な情報は、専門研修を受けた販売員でないと顧客に対して回答できないことになる。
【０００５】
また、商品を精算する際、商品を包装する作業と精算作業とを同じ１人の販売員が担当することが多く、精算して商品を手にするまでの間、顧客は待つことになる。商品１つ１つを顧客へ確かめた（例えば化粧品の種類、色など）後、商品を梱包し、精算するまで一連の作業を１人が担当することが多いため、販売員は、１人の顧客に対する作業時間がかかり、また基本的に顧客１対販売員１の対応であるため、1人の顧客の対応が終わるまで他顧客へ対応できず、顧客を待たすことになる。
【０００６】
さらに、店側としては商品に興味をもった顧客が店舗の会員などでない限り、試用を希望する顧客情報を自動的に収集できないため、新たな販売戦略を行えない。その理由は、販売員が対応する毎に顧客情報を収集することは、対応時間が多くかかるため、全顧客に対してはできないからである。また販売員が顧客へ対応し直接情報を収集しない限り、顧客情報を収集する手段がないためである。
【０００７】
近年、販売・流通業界においては、ＲＦＩＤ（Ｒａｄｉｏ  Ｆｒｅｑｕｅｎｃｙ  Ｉｄｅｎｔｉｆｉｃａｔｉｏｎ）タグを用いた商品情報管理による販売・流通の効率化を図る検討を盛んに行っている。ＲＦＩＤタグを用いることにより、リアルタイムで自動的に情報を読み取ることが可能となる長所を利用するものである。
【０００８】
そこで、ＲＦＩＤタグを用いて商品情報管理を行い、販売の効率化を図る技術として以下のようなものがある（例えば、特許文献１、特許文献２、特許文献３参照。）。
【０００９】
特許文献１の技術は、売場において、ハンガーでラックに吊り下げられた衣類に、それぞれ識別情報や販促支援情報の入った衣類用タグを取り付けておく。衣類用タグと交信可能な非接触リーダライタのアンテナを床面や裏側に設置しておくと共に、試着室にも、非接触リーダライタのアンテナを床面や裏側に設置しておく。また、販売時点での情報をとるために、ＰＯＳレジ端末にも連動させておく。このようにして、商品毎の販売動向を把握し、不人気商品の原因を分析し、マーケッティング情報の精度を向上させるものである。
【００１０】
特許文献２の技術は、無人販売システムを提供するものである。無人店舗には、商品の実物ではなく商品見本を置く。商品見本には、ＩＤ情報を記憶したＲＦＩＤを装着する。利用者は、自分のＲＦＩＤと欲しい商品の見本商品のＲＦＩＤとを、リーダ・ライタに近づける。リーダ・ライタは、ＲＦＩＤから利用者ＩＤと商品ＩＤとを読み取り、配送センターの管理コンピュータに送ると共に、商品の代金の決済を行う。商品の実物は、配送センターから配送先に送る。
【００１１】
特許文献３の技術は、顧客が試着室に持ち込んだ商品品目を追跡し認識するためのシステムを提供するものである。各商品品目には、製品識別子を含む無線タグを取付ける。試着室の中に持ち込んだ商品品目の無線タグに呼掛ける送受信機を具備する。サーバーは、製品識別子に基付いて品目についての情報を検索し、検索情報を店内端末を通して店員に提示し、さらに、顧客が興味を持つ可能性のあるその他の製品を推奨する。
【００１２】
【特許文献１】特開２００２ー２７９５２４号公報
【特許文献２】特開２００２ー０２４９２１号公報
【特許文献３】特開２００１ー２４９９８７号公報
【発明の開示】
【発明が解決しようとする課題】
【００１３】
上述の特許文献１の技術は、衣類用タグを全衣類に取り付けるため、管理コストが掛かるという課題がある。
【００１４】
特許文献２の技術は、商品ボックスの上に自分のＲＦＩＤと欲しい商品の見本商品のＲＦＩＤとをかざし、リーダ・ライタによりＲＦＩＤから利用者ＩＤと商品ＩＤとを読み取ると、無人販売システムは、利用者が商品購入と判断してしまうため、利用者が購入する意志のない商品の購入手続きをとったと誤判断するケースが発生するという課題がある。
【００１５】
特許文献３の技術は、無線タグを全商品に取り付けるため、管理コストが掛かるという課題がある。
【００１６】
また、特許文献１、３記載の技術は、共に、顧客が操作し、商品情報を表示する入出力装置を試着室に配置していないため、商品の試着時（試着室）において、顧客は、商品情報を得ることができず、かつ、商品の購入予約手続きをできないという課題がある。
【００１７】
本発明の第１の目的は、上記課題を解決すべく、試用商品に商品用タグ（ＲＦＩＤタグ）を取り付け、ＲＦＩＤに商品情報を記憶し、ＲＦＩＤリーダにより商品情報を読み取ることで、商品の試用時に顧客への商品情報の提供を入出力装置に表示して行うと共に、商品を購入する際、顧客は、入出力装置により購入商品情報を入力し、店舗管理装置を介して購入商品情報を精算処理装置に送信して購入予約を行うことで、迅速な精算処理を行うことができる商品情報管理システム、商品情報管理方法、試用商品管理装置、プログラムを提供することにある。
【００１８】
本発明の第２の目的は、試用する商品の詳細情報、お薦めの商品組み合わせ情報、商品の人気度情報を顧客に提供することにより、接客の品質を落とすことなく店内における対応要員の人件費を削減し、販促につなげることのできる商品情報管理システム、商品情報管理方法、試用商品管理装置、プログラムを提供することにある。
【課題を解決するための手段】
【００１９】
本発明の商品情報管理システムは、店舗内に設け試用商品を管理する試用商品管理装置と、商品情報と顧客情報とを管理する店舗管理装置と、顧客の購入商品の精算を行う精算処理装置と、店舗管理装置からの送信情報を受信し収集・分析する管理サーバとを有する商品情報管理システムであって、試用商品は、商品情報を記憶する第１記憶手段を有する商品用タグを有し、試用商品管理装置は、顧客情報を記憶する第２記憶手段を有する顧客用タグと商品用タグとを読み出す読出手段と、顧客が操作し店舗管理装置との間で情報を送受信する入出力装置とを有することを特徴とする。
【００２０】
第１記憶手段および第２記憶手段は、共にＲＦＩＤを有することを特徴とする。
【００２１】
第１記憶手段は、商品を特定する商品識別情報と、他商品との組み合わせ情報とを記憶することを特徴とする。
【００２２】
店舗管理装置は、磁気ディスク装置を有し、磁気ディスク装置は、設置位置情報を格納する設置位置情報データベースと、商品情報を格納する商品情報データベースと、顧客情報を格納する顧客情報データベースとを有することを特徴とする。
【００２３】
店舗管理装置は、読出手段で読み出した顧客情報と商品情報とを受信する手段と、受信した顧客情報を元に顧客へのメッセージ情報を入出力装置へ送信する手段と、受信した商品情報を元に商品の詳細情報を入出力装置へ送信する手段と、精算処理装置から各商品の販売情報を受信する手段と、顧客情報と商品情報と販売情報とを管理サーバへ送信する手段とを有することを特徴とする。
【００２４】
入出力装置は、メッセージ情報を表示する手段と、メッセージ情報のメニューから照会情報を選択する手段と、選択した照会情報を店舗管理装置へ送信する手段と、照会情報に対する店舗管理装置からの応答情報を表示する手段と、商品の購入予約情報を入力し店舗管理装置へ送信する手段とを有することを特徴とする。
【００２５】
精算処理装置は、顧客用タグの記憶情報を読み出す精算用情報読出部を有することを特徴とする。
【００２６】
精算処理装置は、店舗管理装置から商品の購入予約情報と共に受信した顧客情報と精算用情報読出部で読み出した顧客用タグの情報とを照合する手段を有することを特徴とする。
【００２７】
精算処理装置は、販売した商品と販売数量とを特定する販売商品情報と商品を購入した顧客を特定する購入顧客情報とを集計処理する手段と、集計処理した情報を店舗管理装置へ送信する手段とを有することを特徴とする。
【００２８】
管理サーバは、商品の照会情報と照会した顧客の情報と、商品の販売情報と商品を購入した顧客の情報とを元に、照会情報量と販売量との相関関係の分析を行う手段と、商品の人気ランキングを作成する手段と、複数商品の組み合わせでの販売情報を元に、組み合わせ商品と販売量との分析を行う手段と、分析結果から販売戦略を決定する手段とを有することを特徴とする。
【００２９】
試用商品管理装置は、顧客が試用商品を試用する商品試用台を有し、読出手段と入出力装置とは、商品試用台に設置し、顧客用タグと試用商品とは、商品試用台上に配置することを特徴とする。
【００３０】
試用商品管理装置は、商品陳列棚に設置することを特徴とする。
【００３１】
試用商品管理装置と店舗管理装置と精算処理装置と管理サーバとは、通信ネットワークで接続することを特徴とする。
【００３２】
本発明の商品情報管理方法は、店舗内に設け試用商品を管理する試用商品管理装置と、商品情報と顧客情報とを管理する店舗管理装置と、顧客の購入商品の精算を行う精算処理装置と、店舗管理装置からの送信情報を受信し収集・分析する管理サーバとを通信ネットワークで接続し、試用商品の第１記憶手段を有する商品用タグに商品情報を記憶し、顧客情報を記憶する第２記憶手段を有する顧客用タグと商品用タグとを試用商品管理装置の読出手段により読み出す商品情報管理方法であって、試用商品管理装置は、入出力装置により顧客が操作し店舗管理装置との間で情報を送受信するステップを有し、店舗管理装置は、読出手段で読み出した顧客情報と商品情報とを受信するステップと、受信した顧客情報を元に顧客へのメッセージ情報を入出力装置へ送信するステップと、受信した商品情報を元に商品の詳細情報を入出力装置へ送信するステップと、精算処理装置から各商品の販売情報を受信するステップと、顧客情報と商品情報と読出手段の設置位置情報と販売情報とを管理サーバへ送信するステップとを有することを特徴とする。
【００３３】
第１記憶手段および第２記憶手段は、共にＲＦＩＤを有することを特徴とする。
【００３４】
第１記憶手段は、商品を特定する商品識別情報と、他商品との組み合わせ情報とを記憶することを特徴とする。
【００３５】
入出力装置は、メッセージ情報を表示するステップと、メッセージ情報のメニューから照会情報を選択するステップと、選択した照会情報を店舗管理装置へ送信するステップと、照会情報に対する店舗管理装置からの詳細情報を表示するステップと、商品の購入予約情報を入力し店舗管理装置へ送信するステップとを有することを特徴とする。
【００３６】
精算処理装置は、店舗管理装置から商品の購入予約情報と共に受信した顧客情報と精算用情報読出部で読み出した顧客用タグの情報とを照合するステップと、販売した商品と販売数量とを特定する販売商品情報と商品を購入した顧客を特定する購入顧客情報とを集計処理するステップと、集計処理した情報を店舗管理装置へ送信するステップとを有することを特徴とする。
【００３７】
管理サーバは、商品の照会情報と照会した顧客の情報と、商品の販売情報と商品を購入した顧客の情報とを元に、照会情報量と販売量との相関関係の分析を行うステップと、商品の人気ランキングを作成するステップと、複数商品の組み合わせでの販売情報を元に、組み合わせ商品と販売量との分析を行うステップと、分析結果から販売戦略を決定するステップとを有することを特徴とする。
【００３８】
本発明の試用商品管理装置は、店舗管理装置と、顧客の購入商品の精算を行う精算処理装置と、店舗管理装置からの送信情報を受信し収集・分析する管理サーバとに通信ネットワークを介して接続し、店舗内に設け試用商品を管理する試用商品管理装置であって、試用商品は、商品情報を記憶する第１記憶手段を有する商品用タグを有し、顧客情報を記憶する第２記憶手段を有する顧客用タグと商品用タグとを読み出す読出手段と、顧客が操作し店舗管理装置との間で情報を送受信する入出力装置とを有することを特徴とする。
【００３９】
読出手段と入出力装置とは、商品試用台に設置し、顧客用タグと試用商品とは、商品試用台上に配置することを特徴とする。
【００４０】
読出手段と入出力装置とは、商品陳列棚に設置することを特徴とする。
【００４１】
本発明のプログラムは、店舗内に設け試用商品を管理する試用商品管理装置と、商品情報と顧客情報とを管理する店舗管理装置と、顧客の購入商品の精算を行う精算処理装置と、店舗管理装置からの送信情報を受信し収集・分析する管理サーバとを通信ネットワークで接続し、試用商品の第１記憶手段を有する商品用タグに商品情報を記憶し、顧客情報を記憶する第２記憶手段を有する顧客用タグと商品用タグとを試用商品管理装置の読出手段により読み出す商品情報管理方法のプログラムであって、コンピュータを、試用商品管理装置の入出力装置により顧客が操作し店舗管理装置との間で情報を送受信する手段、読出手段で読み出した顧客情報と商品情報とを店舗管理装置で受信する手段、受信した顧客情報を元に顧客へのメッセージ情報を入出力装置へ送信する手段、受信した商品情報を元に商品の詳細情報を入出力装置へ送信する手段、精算処理装置から各商品の販売情報を受信する手段、顧客情報と商品情報と読出手段の設置位置情報と販売情報とを管理サーバへ送信する手段として機能させることを特徴とする。
【発明の効果】
【００４２】
本発明によれば、販売用商品全部ではなく、試用商品にのみＲＦＩＤタグを付与し、商品情報をＲＦＩＤに記憶し、ＲＦＩＤリーダにより商品情報を読み取り、試用商品管理装置に設ける入出力装置に商品情報を表示するため、顧客は、試用商品を試用時に商品情報を得ることができ、販売員が対応する必要がなくなり、人件費を削減でき、商品の管理コストが安価になるという効果がある。
【００４３】
また、商品を購入する際、顧客は、入出力装置により購入商品情報を入力し、店舗管理装置を介して購入商品情報を精算処理装置に送信して購入予約を行うため、顧客が購入意志のない商品を購入予約したという誤りを発生することなく、かつ、迅速な精算処理を行うことができるという効果がある。
【発明を実施するための最良の形態】
【００４４】
次に、本発明を実施するための最良の形態について図面を参照して説明する。
【００４５】
図１は、本発明の商品情報管理システム１の実施の形態を示す概略構成図、図２〜図４は、各々図１中の入出力装置１０６、精算処理装置１１０、管理サーバ１１３の概略構成ブロック図である。
【００４６】
図１を参照すると、商品情報管理システム１は、店舗内に設け試用商品１０２を管理する試用商品管理装置２と、試用商品管理装置２の店舗内の設置位置情報と商品情報と顧客情報とを管理する店舗管理装置１０７と、顧客の購入商品の精算を行う精算処理装置１１０と、店舗管理装置１０７からの送信情報を受信し収集・分析する管理サーバ１１３とで構成する。
【００４７】
試用商品管理装置２と店舗管理装置１０７と精算処理装置１１０と管理サーバ１１３とは、通信ネットワーク１１２（例えば、ＬＡＮ：Ｌｏｃａｌ  Ａｒｅａ  Ｎｅｔｗｏｒｋ）で接続する。なお、具体的には、店舗管理装置１０７は、パーソナルコンピュータ、精算処理装置１１０は、ＰＯＳ（販売時点情報管理）端末で構成する。
【００４８】
店舗管理装置１０７は、磁気ディスク装置１０を設け、磁気ディスク装置１０は、試用商品管理装置２の店舗内での設置位置情報を格納する設置位置情報データベース１０５と、商品情報を格納する商品情報データベース１０８と、顧客情報を格納する顧客情報データベース１０９とで構成する。なお、磁気ディスク装置１０は、店舗管理装置１０７（パーソナルコンピュータ）に内蔵のものを用いる構成としてもよい。
【００４９】
試用商品管理装置２は、顧客情報を記憶するＲＦＩＤ３０３を有する顧客用タグ３００と、商品情報を記憶するＲＦＩＤ２０３を有する商品用タグ２００とを読み出すＲＦＩＤリーダ１０４と、顧客が操作し店舗管理装置１０７との間で情報を送受信する入出力装置１０６と、商品店舗試用台１０１とで構成する。入出力装置１０６は、例えば、パーソナルコンピュータで構成する。
【００５０】
図２を参照すると、入出力装置１０６は、メッセージ情報を表示するメッセージ表示手段１０６１と、メッセージ情報のメニューから照会情報を選択する照会情報選択手段１０６２と、照会情報に対する店舗管理装置１０７からの応答情報を表示する応答情報表示手段１０６３と、選択した照会情報を店舗管理装置１０７へ送信し、応答情報を表示して商品の購入予約情報を入力し店舗管理装置１０７へ送信する送受信手段１０６４とで構成する。
【００５１】
図３を参照すると、精算処理装置１１０は、顧客用タグ３００のＲＦＩＤ３０３の記憶情報を読み出す精算用情報読出部１１１と、店舗管理装置１０７から商品の購入予約情報と共に受信した顧客情報と精算用情報読出部１１１で読み出した顧客用タグ３００の情報とを照合する照合手段１１０１と、販売した商品と販売数量とを特定する販売商品情報と商品を購入した顧客を特定する購入顧客情報とを集計処理する集計処理手段１１０２と、集計処理した情報を店舗管理装置１０７へ送信する送受信手段１１０３とで構成する。
【００５２】
図４を参照すると、管理サーバ１１３は、商品の照会情報と照会した顧客の情報と、商品の販売情報と商品を購入した顧客の情報とを元に、照会情報量と販売量との相関関係の分析を行う相関分析手段１１３１と、商品の販売情報から商品の人気ランキングを作成する人気ランキング作成手段１１３３と、複数商品の組み合わせでの販売情報を元に、組み合わせ商品と販売量との分析を行う組み合わせ商品分析手段１１３２と、分析結果から販売戦略を決定する販売戦略決定手段１１３４と、店舗管理装置１０７との間で情報の送受信を行う送受信手段１１３５とで構成する。
【００５３】
商品店舗試用台１０１は、顧客が試用商品１０２を店舗内で試用するときの作業台となる商品試用台１０３を設ける。ＲＦＩＤリーダ１０４と入出力装置１０６とは、商品試用台１０３に設置する。試用商品１０２を店舗で試用する際、顧客は、顧客用タグ３００と試用商品１０２とを商品試用台１０３上に配置する。図１では、１つの商品店舗試用台１０１のみを示しているが、商品店舗試用台１０１は、店舗内に複数設けてもよいことは云うまでもない。
【００５４】
商品用タグ２００は、店舗内での試用商品１０２の種類ごとに試用商品１０２自体にそれぞれ貼付け、予め商品に関する情報である商品情報を記憶する。
【００５５】
商品情報とは、商品を特定する情報および他商品との組み合わせ情報である。具体的には、例えば、商品の製造年月日、商品の製造メーカー、商品の成分、商品の肌に対するアレルギー試験の結果、他商品とのお薦めの組み合わせ情報、商品の使用適齢、などである。ここで、商品情報に含まれる情報は、ＪＡＮ（Ｊａｐａｎｅｓｅ  Ａｒｔｉｃｌｅ  Ｎｕｍｂｅｒ）コードや、ＥＡＮ（Ｅｕｒｏｐｅａｎ  Ａｒｔｉｃｌｅ  Ｎｕｍｂｅｒ）コードや、ＵＰＣ（Ｕｎｉｖｅｒｓａｌ  Ｐｒｏｄｕｃｔ  Ｃｏｄｅ）のバーコードに含まれる情報であってもよいし、その他の情報（例えば、商品在庫情報、保管場所情報）を含んでいてもよい。
【００５６】
ＲＦＩＤリーダ１０４は、試用商品１０２のＲＦＩＤ２０３に記憶している情報を読み取って、店舗管理装置１０７へ送信する。ＲＦＩＤリーダ１０４は、情報を読み取るアンテナを内蔵していてもよいし、外付けのアンテナと接続していてもよい。
【００５７】
ＲＦＩＤ２０３は、商品を特定するＩＤ（固体識別番号）情報と、商品情報データベース１０８に登録した商品情報とを記憶していてもよいし、ＩＤ情報のみを記憶し、商品情報を照会する際は、ＩＤ情報をキーにして、商品情報データベース１０８に問い合わせするようにしてもよい。
【００５８】
顧客用タグ３００は、顧客が来店時に携帯し、予め顧客に関する情報である顧客情報を記憶する。顧客は、試用商品１０２を店舗で試用する際、店舗試用台１０３の上（ＲＦＩＤリーダ１０４の上方）に顧客用タグ３００を置く。
【００５９】
ＲＦＩＤリーダ１０４は、顧客用タグ３００のＲＦＩＤ３０３に記憶している顧客情報を読み取り、店舗管理装置１０７へ送信し、店舗管理装置１０７は、顧客情報データベース１０９に顧客の来店情報を登録する。
【００６０】
磁気ディスク装置１０に格納する顧客情報データベース１０９には、予め収集した顧客基本情報を登録しており、その他、顧客情報として、顧客の来店履歴、購入履歴、嗜好、商品店舗試用台１０１での情報照会の使用履歴などを登録している。具体的には、例えば、顧客の氏名、年齢、好きな色、商品購入履歴などである。
【００６１】
なお、図１において、ＲＦＩＤリーダ１０４は、商品情報と顧客情報との両者を同一の装置で読み出す構成としているが、ＲＦＩＤリーダ１０４を別個に設け、商品情報と顧客情報とを別々の装置で読み出す構成としてもよい。
【００６２】
店舗管理装置１０７は、試用商品管理装置２の設置位置情報、商品店舗試用台１０１に設置したＲＦＩＤリーダ１０４から受信した商品情報および顧客情報、どのＲＦＩＤリーダ１０４から情報を受信したかを特定する情報、精算処理装置１１０から受信した各商品の販売情報および顧客の販売実績情報とをとりまとめ、管理サーバ１１３へ送信する。
【００６３】
入出力装置１０６は、顧客が顧客自身の情報（購入履歴）や商品の詳細情報を入手したいときに使用し操作する。
【００６４】
ＲＦＩＤリーダ１０４は、顧客用タグ３００の顧客情報を読み出し、読み出した顧客情報を店舗管理装置１０７へ送信する。店舗管理装置１０７は、受信した顧客情報をもとに、誰が店舗へ来店したかを判断し、入出力装置１０６へ、例えば、顧客来店の歓迎メッセージ、顧客の来店回数、などを送信する。入出力装置１０６は、受信情報をディスプレイに表示する。
【００６５】
また、ＲＦＩＤリーダ１０４は、顧客が試用する試用商品１０２の商品情報を読み出し、読み出した商品情報を店舗管理装置１０７へ送信する。店舗管理装置１０７は、受信した商品情報と顧客情報とをもとに、顧客がどの商品を店舗で試用したいかを判断し、入出力装置１０６へ、例えば、商品の詳細情報（製造年月日、アレルギー情報、他商品とのお薦め組み合わせ情報など）を送信する。入出力装置１０６は、受信情報をディスプレイに表示する。入出力装置１０６は、例えば、タッチパネルなどの形態をとり、顧客は、自分が確認したい照会情報を入出力装置１０６にて参照することができる。
【００６６】
顧客は、入出力装置１０６から店舗管理装置１０７に対して照会情報を送信する。店舗管理装置１０７は、顧客の照会情報を受信し、照会情報に対する応答情報を入出力装置１０６へ送信する。入出力装置１０６は、店舗管理装置１０７から受信した応答情報をディスプレイに表示する。照会情報は、例えば、商品の在庫管理情報や他商品のお薦め組み合わせ情報の詳細な情報（アレルギー情報、価格）である。
【００６７】
商品を気に入り、購入の意思を決定した場合、顧客は、入出力装置１０６の画面上から購入予定情報（購入する顧客情報、購入対象製品名、購入数）を入力する。入出力装置１０６は、入力情報を店舗管理装置１０７へ送信する。
【００６８】
精算処理装置１１０は、店舗管理装置１０７から購入予定情報（どの顧客がどの商品をどれだけ購入予定かという情報）を受け取り、購入予定情報を表示部（図示せず）に表示する。販売員は、表示した情報を確認し、販売用商品を用意し、精算準備を行う。販売員が即時に販売用商品を準備できるよう、精算処理部１１０で表示する購入予定情報は、商品情報データベース１０８で管理している商品の在庫情報、保管場所情報などを含んでもよい。
【００６９】
販売員は、販売用商品に対して精算準備をしておく。顧客は、精算処理装置１１０の場所にやってくる。精算処理装置１１０に設けた精算用情報読出部１１１は、顧客用タグ３００の顧客情報を読み出す。読み出した顧客情報と購入予定情報と共に受信した顧客情報とが一致した場合に、販売員は、精算の最終手続きを行い、顧客へ商品を提供する。
【００７０】
精算処理装置１１０は、販売した商品の数量、売上額、購入顧客とを集計する会計処理を行い、販売した商品とその数量とを特定する情報である販売商品情報、商品を購入した顧客を特定する情報である購入顧客情報とを生成し、生成した情報を通信ネットワーク１１２を介して店舗管理装置１０７に送信する。
【００７１】
管理サーバ１１３は、各店舗の店舗管理装置１０７から情報を受信して、商品の照会情報と商品を検索した顧客の情報、商品の販売情報と商品を購入した顧客の情報とを対応付ける。また、誰がどの商品情報を照会したのか、誰がその商品を買ったのかなどの商品の情報照会量と販売量との相関関係の分析を行う。
【００７２】
管理サーバ１１３は、通信ネットワーク１１２を介して店舗管理装置１０７および図示しない他店舗の店舗管理装置１０７と接続する。管理サーバ１１３は、各店舗から、どの商品のどの情報がどういった顧客により照会されたときにどの程度商品が売れたか、どういった他商品の情報を提供した際にその商品が売れたか否かなどの情報を受信し、商品の組み合わせの販売戦略を作成する。
【００７３】
具体的には、例えば、店舗Ａでは商品Ｘ（化粧水）の情報照会を顧客が行った場合、商品Ｘの情報と共に商品Ｙ（乳液）の情報を提供する。別の店舗Ｂ（一日に訪れる顧客数、顧客年代層、顧客富裕レベルはほぼ同じで、立地条件などもほぼ同じ）では、商品Ｘ（化粧水）の情報照会を顧客が行った場合、商品Ｘの情報と共に商品Ｚ（カラーファンデーション）の情報を提供する。店舗Ａでは、商品Ｘ（化粧水）を購入する際、併せて商品Ｙ（乳液）も購入する客が一日平均２０人であり、店舗Ｂでは、商品Ｘ（化粧水）を購入する際、商品Ｚ（カラーファンデーション）を併せて購入する客が一日平均１０人だったとする。
【００７４】
管理サーバ１１３は、上記情報を受信すると、商品Ｘ（化粧水）の情報を照会する顧客に対し、商品Ｙ（乳液）を勧めたほうが売上がアップするという分析を行い、販売戦略として、商品Ｘの情報に商品Ｙの情報を併せて提供する。販売戦略の結果、お薦めの商品の組み合わせ情報は、店舗管理装置１０７で管理する商品情報データベース１０８内で組み合わせ商品の照会情報の紐付けをするか、或いは、試用商品１０２に貼り付ける商品用タグ２００のＲＦＩＤ２０３に記憶する。
【００７５】
ここで、商品用タグ２００と、顧客用タグ３００について、図面を参照して説明する。
【００７６】
図５は、商品用タグ２００の一例を示す図、図６は、顧客用タグ２００の一例を示す図である。
【００７７】
図５を参照すると、商品用タグ２００は、試用商品１０２に付与する（例えば、貼り付ける）ことが可能なラベルタグの形態とする。商品用タグ２００は、商品名表示部２０１と、商品価格表示部２０２と、商品情報を記憶するＲＦＩＤ２０３とで構成する。
【００７８】
なお、商品用タグ２００に付随する商品情報の記憶部としてＲＦＩＤ２０３を例示しているが、ＲＦＩＤ２０３に限らず、ＩＣカードなどの、試用商品１０２に付与することが可能であり、情報を記憶でき、かつ、読出手段によって情報を読み取ることができる他の記憶手段を採用してもよい。ここで、試用商品１０２に付与するとは、試用商品１０２の容器自体に埋め込んだり、試用商品１０２の容器の外側に紐でくくりつけたりすることにより、商品用タグ２００が試用商品１０２に付属していることを意味する。
【００７９】
図６を参照すると、顧客用タグ３００は、顧客名表示部３０１と、顧客会員番号表示部３０２と、顧客情報を記憶するＲＦＩＤ３０３とで構成する。
【００８０】
上述の実施の形態において、ＲＦＩＤリーダ１０４は、商品試用台１０３の下側に設置しているが（図１参照）、商品用タグ２００のＲＦＩＤ２０３および顧客用タグ３００のＲＦＩＤ３０３からの出力情報を受信することが可能な範囲であればよく、ＲＦＩＤリーダ１０４の設置場所は、商品試用台１０３の下側に限定するものではない。
【００８１】
また、試用商品管理装置２は、ＲＦＩＤリーダ１０４と入出力装置１０６とを商品試用台１０３に設置する構成としているが、店舗内の商品陳列棚にＲＦＩＤリーダ１０４と入出力装置１０６とを設置し、顧客は、商品陳列棚のスペースで試用商品１０２を試用する構成としてもよい。
【００８２】
次に、上述のように構成した商品情報管理システム１の動作について、図面を参照して説明する。
【００８３】
図７は、商品情報管理システム１の動作を示すフローチャートである。
【００８４】
図７を参照すると、店舗にて顧客用タグ３００を顧客に対して発行する。顧客用タグ３００のＲＦＩＤ３０３に基本的な顧客情報（顧客識別ＩＤ情報）を書き込む。試用商品１０２に貼り付ける商品用タグ２００のＲＦＩＤ２０３に商品情報（商品識別ＩＤなど）を書き込む。また、店舗管理装置１０７の磁気ディスク装置１０に顧客情報、詳細な商品情報を登録しておく（ステップＳ１）。
【００８５】
顧客用タグ３００は、郵送もしくは店舗にて顧客に手渡し、商品用タグ２００は、店舗内の試用商品１０２に貼り付ける（ステップＳ２）。
【００８６】
顧客が来店し、商品を試用する際、店舗内に設置された試用商品陳列棚などに置かれた試用商品１０２を持って、店舗内に設置した試用商品管理装置２のところへ行き、商品試用台１０３の上に顧客用タグ３００と試用商品１０２とを置く。その際、ＲＦＩＤリーダ１０４は、顧客用タグ３００のＲＦＩＤ３０３に書き込んだ顧客情報を読み出し、顧客情報を店舗管理装置１０７へ送信する（ステップＳ３）。
【００８７】
店舗管理装置１０７は、磁気ディスク装置１０の顧客情報データベース１０９に顧客の来店情報を登録する。店舗管理装置１０７は、入出力装置１０６へ顧客向けの来店歓迎情報を送信する。顧客は、入出力装置１０６が来店歓迎情報を受信した時点で、入出力装置１０６の操作可能となる。来店歓迎情報の内容は、予め店舗管理装置１０７内の顧客情報データベース１０９に登録した顧客名や顧客の嗜好などに併せて、店舗管理装置１０７でメッセージとして作成するものである。入出力装置１０６は、受信した顧客向けの来店歓迎情報をディスプレイ上に表示する（ステップＳ４）。来店歓迎情報は、例えば、図８に示すようなメッセージ情報である。
【００８８】
顧客が試用する商品情報を検索したい場合、商品試用台１０３の上に試用商品１０２を置き、入出力装置１０６にメッセージ表示の各種メニューのうち、試用する商品の情報を見るの項目を選択する（図８参照）。ＲＦＩＤリーダ１０４は、試用商品１０２に貼り付けた商品用タグ２００のＲＦＩＤ２０３から情報（商品識別ＩＤ情報）を読み出し、読み出した情報を店舗管理装置１０７へ送信する（ステップＳ５）。
【００８９】
店舗管理装置１０７は、ＲＦＩＤ２０３から読み出した情報を受け取り、商品情報データベース１０８から該当する商品情報を検索し、該当する商品情報を入出力装置１０６へ送信する。入出力装置１０６は、受信した商品情報を表示する（ステップＳ６）。商品情報は、例えば、図９に示すようなメッセージ情報である。試用する商品の情報を顧客が照会する際、入出力装置１０６は、商品に関連するお得情報、例えば、キャンペーン中の情報などを顧客へ提供し、商品の販促情報を提供する。例えば、図９のメッセージ中からこの商品のお得情報へＧＯ！のメニュー項目を選択すると、入出力装置１０６は、図１０に示すようなメッセージを表示する。その際、顧客のアンケート情報などを採取するような仕組みを提供し、顧客の情報を収集する（図１０参照）。また顧客にとっては、アンケートに答えることで商品購入の際に割り引きを受けるような仕組みを提供することでメリットを享受できる。
【００９０】
顧客は、商品を試用し、入出力装置１０６から得た情報で、納得して商品を購入する場合、入出力装置１０６の画面上から商品購入予約情報を店舗管理装置１０７へ送信する（ステップＳ７）。
【００９１】
顧客は、試用商品１０２を回数に制限なく自由に試用でき、納得のいくまで試用し、購入を決断するのに必要な詳細な情報を即時に入手できることから、納得して商品を購入することができる。
【００９２】
店舗管理装置１０７は、商品情報データベース１０８を検索し、購入予約商品の在庫状況を確認する（ステップＳ８）。
【００９３】
在庫がある場合、店舗管理装置１０７は、精算処理装置１１０へ購入予約情報を送信する。精算用情報読出部１１１は、顧客の持参した顧客用タグ３００のＲＦＩＤ３０３に記憶した顧客情報を読み出す（ステップＳ９）。
【００９４】
精算処理装置１１０は、精算処理装置１１０で予め受信した商品購入予約情報内の顧客情報と、精算用情報読出部１１１で読み出した顧客情報とを照合する（ステップＳ１０）。
【００９５】
両顧客情報を照合した結果、合致した場合、事前に準備しておいた商品を顧客へ渡し、金銭的な精算処理を行う。
【００９６】
従って、販売員は、購入予約情報を元に予め販売用商品を用意し、精算準備をすることができ、顧客を待たすことなく精算処理を迅速に行うことができる。
【００９７】
精算処理装置１１０は、決済した精算処理情報を店舗管理装置１０７へ送信し、店舗管理装置１０７は、受信した精算処理情報を顧客情報データベース１０９へ商品購入実績情報として登録する。（ステップＳ１１）。
【００９８】
なお、照合した結果、不一致の場合、上記（ステップＳ９）へ戻り、精算用情報読出部１１１により、顧客用タグ３００のＲＦＩＤ３０３に記憶した顧客情報を読み出す処理を再度行う。
【００９９】
顧客が試用した商品を返却する際は、店舗内に設置された試用商品１０２の陳列棚に顧客が返品するか、精算処理時に販売員が回収する。
【０１００】
上記（ステップＳ８）において、購入予約商品の在庫がない場合、店舗管理装置１０７は、入出力装置１０６へ在庫なしの情報を通知し、顧客は、即時には購入できない商品の購入予約をするか否かを入出力装置１０６にて選択する（ステップＳ１２）。
【０１０１】
予約する場合、顧客は、入出力装置１０６により商品の予約情報を店舗管理装置１０７へ送信して商品を予約する。店舗管理装置１０７は、予約情報を商品情報データベース１０８と顧客情報データベース１０９に登録する（ステップＳ１３）。
【０１０２】
登録した予約情報は、図示しない発注システムと連動して、商品メーカーへ発注依頼として送信する。
【０１０３】
店舗管理装置１０７は、受信した商品の購入実績情報（販売情報）、予約情報をまとめて管理サーバ１１３へ送信する。管理サーバ１１３は、受信情報を元に既述の分析を行い、販売戦略を策定する（ステップＳ１４）。
【０１０４】
商品の人気度、よく売れている商品などの分析情報を顧客へアピールすることで、購買意欲をかきたて、販売促進につなげることができる。
【図面の簡単な説明】
【０１０５】
【図１】本発明の商品情報管理システムの実施の形態を示す概略構成図である。
【図２】図１中の入出力装置の概略構成ブロック図である。
【図３】図１中の精算処理装置の概略構成ブロック図である。
【図４】図１中の管理サーバの概略構成ブロック図である。
【図５】商品用タグの一例を示す図である。
【図６】顧客用タグの一例を示す図である。
【図７】商品情報管理システムの動作を示すフローチャートである。
【図８】来店歓迎情報を説明するための図である。
【図９】商品情報を説明するための図である。
【図１０】メニュー項目を選択したときのメッセージ情報を説明するための図である。
【符号の説明】
【０１０６】
１    商品情報管理システム
２    試用商品管理装置
１０    磁気ディスク装置
１０１    商品店舗試用台
１０２    試用商品
１０３    商品試用台
１０４    ＲＦＩＤリーダ
１０５    設置位置情報データベース
１０６    入出力装置
１０６１    メッセージ表示手段
１０６２    照会情報選択手段
１０６３    応答情報表示手段
１０６４    送受信手段
１０７    店舗管理装置
１０８    商品情報データベース
１０９    顧客情報データベース
１１０    精算処理装置
１１０１    照合手段
１１０２    集計処理手段
１１０３    送受信手段
１１１    精算用情報読出部
１１２    通信ネットワーク
１１３    管理サーバ
１１３１    相関分析手段
１１３２    組み合わせ商品分析手段
１１３３    人気ランキング作成手段
１１３４    販売戦略決定手段
１１３５    送受信手段
２００    商品用タグ
２０１    商品名表示部
２０２    商品価格表示部
２０３    ＲＦＩＤ
３００    顧客用タグ
３０１    顧客名表示部
３０２    顧客会員番号表示部
３０３    ＲＦＩＤ
【図１】
2006039842.tif 000003
【図２】
2006039842.tif 000004
【図３】
2006039842.tif 000005
【図４】
2006039842.tif 000006
【図５】
2006039842.tif 000007
【図６】
2006039842.tif 000008
【図７】
2006039842.tif 000009
【図８】
2006039842.tif 000010
【図９】
2006039842.tif 000011
【図１０】
2006039842.tif 000012